(57)【要約】【課題】インターネットを利用して現金を相手先に手軽に贈ること。【解決手段】運営者サーバ１０は、カード５０が選択された情報とそのカードに入力された金額情報５１を贈答者の端末１から取得する手段１１と、贈答者情報を贈答者の端末１から取得する手段と、カードを贈答することに関する費用の入金が贈答者からあったことを確認する手段と、ユーザの端末２からカードに入力された金額の受領意思を確認する手段と、ユーザ情報とそのユーザの口座番号情報をユーザの端末２から取得する手段と、贈答者からの費用の入金と、ユーザから金額の受領意思があることを確認した後、ユーザ情報と口座番号情報と金額情報５１からなる振込情報を金融機関サーバ２０に送信する手段を備え、金融機関サーバ２０は、運営者サーバ１０から振込情報を受信する手段と、振込情報を受信するとユーザの口座番号にカードに記入された金額を振込む手段２１を備える。【選択図】図３
2018045277.tif 000002
【特許請求の範囲】
【請求項１】
金額を入力可能なカードに関する情報を提供する運営者サーバと、前記カードを送る贈答者の端末と、前記カードを受け取り可能なユーザの端末と、振込を行う銀行が有する金融機関サーバがネットワークを介して接続されたマネーギフトシステムにおいて、
前記運営者サーバは、
前記カードが選択された情報とそのカードに入力された金額情報を前記贈答者の端末から取得する贈答受付手段と、
前記贈答者の氏名又は名称等からなる贈答者情報を前記贈答者の端末から取得する贈答者情報取得手段と、
前記カードを贈答することに関する費用の入金が前記贈答者からあったことを確認する入金確認手段と、
前記ユーザの端末から前記カードに入力された金額の受領意思を確認する贈答決定手段と、
前記ユーザの氏名又は名称等からなるユーザ情報とそのユーザの口座番号情報を前記ユーザの端末から取得するユーザ情報取得手段と、
前記贈答者からの費用の入金と、前記ユーザから前記金額の受領意思があることを確認した後、前記ユーザ情報とそのユーザの前記口座番号情報と前記カードに入力された金額情報が書き込まれた振込情報を前記金融機関サーバに送信する振込依頼送信手段を備え、
前記金融機関サーバは、
前記運営者サーバから前記振込情報を受信する振込依頼受信手段と、
前記振込情報を受信すると、前記運営者サーバの口座から前記ユーザの口座番号に前記カードに入力された金額を振込む振込手段を備えることを特徴とするマネーギフトシステム。
【請求項２】
金額を入力可能なカードに関する情報を提供する運営者サーバと、前記カードを送る贈答者の端末と、前記カードを受け取り可能なユーザの端末と、振込を行う決算代行業者が有する決算代行業者サーバがネットワークを介して接続されたマネーギフトシステムにおいて、
前記運営者サーバは、
前記カードが選択された情報とそのカードに入力された金額情報を前記贈答者の端末から取得する贈答受付手段と、
前記贈答者の氏名又は名称等からなる贈答者情報を前記贈答者の端末から取得する贈答者情報取得手段と、
前記ユーサの端末から前記カードに入力された金額の受領意思を確認する贈答決定手段と、
前記ユーザの氏名又は名称等からなるユーザ情報とそのユーザの口座番号情報を前記ユーザの端末から取得するユーザ情報取得手段と、
前記ユーザから前記金額の受領意思があることを確認した後、前記ユーザ情報とそのユーザの前記口座番号情報と前記カードに入力された金額情報が書き込まれた振込情報を前記決算代行業者サーバに送信する振込依頼送信手段を備え、
前記決算代行業者サーバは、
前記運営者サーバから前記振込情報を受信する振込依頼受信手段と、
前記カードを贈答することに関する費用の入金が前記贈答者からあったことを確認する入金確認手段と、
前記振込情報を受信するとともに、前記贈答者が前記カードを贈答することに関する費用の入金があると、前記ユーザの口座番号に前記カードに入力された金額を振込む振込手段を備えることを特徴とするマネーギフトシステム。
【請求項３】
前記カードに入力された金額情報を非表示にしたことを特徴とする請求項１又は２に記載のマネーギフトシステム。
【請求項４】
前記贈答者が前記カードを贈答することに関する費用の入金があると、前記運営者サーバは、前記贈答者の端末から前記ユーザの端末に前記カードを送信可能な状態にすることを特徴とする請求項１乃至３のうちいずれか一つに記載のマネーギフトシステム。
【請求項５】
前記カードにはメッセージ情報を添えることができることを特徴とする請求項１乃至４のうちいずれか一つに記載のマネーギフトシステム。
【発明の詳細な説明】
【技術分野】
【０００１】
本発明は、現金をギフトしてネットを介して送るマネーギフトシステムに関するものである。
【背景技術】
【０００２】
近年、一般家庭にもパソコンの普及が進み、それに伴いインターネットを利用した振込により商品の代金を支払うことが可能になっている（例えば、非特許文献１参照）。
また、インターネットを利用して商品券や金額入りのプリペイドカードをギフトとして贈ることや、ユーザ間で電子マネーカードを送ることも知られている（例えば、特許文献２，３参照）。
【先行技術文献】
【特許文献】
【０００３】
【特許文献１】特開２００７−３０４９２２号公報
【特許文献２】特許第５８５６１８１号公報
【特許文献３】特許第５８４８１０７号公報
【発明の概要】
【発明が解決しようとする課題】
【０００４】
しかしながら、メールサービス（ＳＮＳのメッセージサービスも含む）で贈られたカードに記載された金額情報からその金額が贈り先の口座に振り込まれるシステムは存在しない。
特に商品を贈るものではなく、香典や祝儀など現金を渡す習慣があるわが国では、ギフトが現金であることの不自然さはなく、むしろ、インターネットを利用して現金を相手先に簡単に贈ることのできるシステムが望まれる。
なお、このようなシステムは、上記特許文献１乃至３には一切記載されていない。
【０００５】
そこで、本発明の目的とするところは、インターネットを利用して香典や祝儀などの現金を相手先に手軽に贈ることのできるマネーギフトシステムを提供することにある。
【課題を解決するための手段】
【０００６】
上記の目的を達成するために、本発明のマネーギフトシステムは、金額を入力可能なカード（５０）に関する情報を提供する運営者サーバ（１０）と、前記カード（５０）を送る贈答者の端末（１）と、前記カード（５０）を受け取り可能なユーザの端末（２）と、振込を行う銀行が有する金融機関サーバ（２０）がネットワーク（１００）を介して接続されたマネーギフトシステムにおいて、
前記運営者サーバ（１０）は、
前記カード（５０）が選択された情報とそのカード（５０）に入力された金額情報（５１）を前記贈答者の端末（１）から取得する贈答受付手段（１１）と、
前記贈答者の氏名又は名称等からなる贈答者情報を前記贈答者の端末（１）から取得する贈答者情報取得手段（１１）と、
前記カード（５０）を贈答することに関する費用の入金が前記贈答者からあったことを確認する入金確認手段（１１）と、
前記ユーザの端末（２）から前記カード（５０）に入力された金額の受領意思を確認する贈答決定手段（１１）と、
前記ユーザの氏名又は名称等からなるユーザ情報とそのユーザの口座番号情報を前記ユーザの端末（２）から取得するユーザ情報取得手段（１１）と、
前記贈答者からの費用の入金と、前記ユーザから前記金額の受領意思があることを確認した後、前記ユーザ情報とそのユーザの前記口座番号情報と前記カード（５０）に入力された金額情報（５１）が書き込まれた振込情報を前記金融機関サーバ（２０）に送信する振込依頼送信手段（１１）を備え、
前記金融機関サーバ（２０）は、
前記運営者サーバ（１０）から前記振込情報を受信する振込依頼受信手段（２１）と、
前記振込情報を受信すると、前記運営者サーバ（１０）の口座から前記ユーザの口座番号に前記カード（５０）に入力された金額を振込む振込手段（２１）を備えることを特徴とする。
【０００７】
また、本発明のマネーギフトシステムは、金額を入力可能なカード（５０）に関する情報を提供する運営者サーバ（１０）と、前記カード（５０）を送る贈答者の端末（１）と、前記カード（５０）を受け取り可能なユーザの端末（２）と、振込を行う決算代行業者が有する決算代行業者サーバ（３０）がネットワーク（１００）を介して接続されたマネーギフトシステムにおいて、
前記運営者サーバ（１０）は、
前記カードが選択された情報とそのカードに入力された金額情報（５１）を前記贈答者の端末（１）から取得する贈答受付手段（１１）と、
前記贈答者の氏名又は名称等からなる贈答者情報を前記贈答者の端末（１）から取得する贈答者情報取得手段（１１）と、
前記ユーサの端末（２）から前記カード（５０）に入力された金額の受領意思を確認する贈答決定手段（１１）と、
前記ユーザの氏名又は名称等からなるユーザ情報とそのユーザの口座番号情報を前記ユーザの端末（２）から取得するユーザ情報取得手段（１１）と、
前記ユーザから前記金額の受領意思があることを確認した後、前記ユーザ情報とそのユーザの前記口座番号情報と前記カード（５０）に入力された金額情報（５１）が書き込まれた振込情報を前記決算代行業者サーバ（３０）に送信する振込依頼送信手段（１１）を備え、
前記決算代行業者サーバ（３０）は、
前記運営者サーバ（１０）から前記振込情報を受信する振込依頼受信手段（３１）と、
前記カード（５０）を贈答することに関する費用の入金が前記贈答者からあったことを確認する入金確認手段（３１）と、
前記振込情報を受信するとともに、前記カードを贈答することに関する費用の入金が前記贈答者からあると、前記ユーザの口座番号に前記カード（５０）に入力された金額を振込む振込手段（３１）を備えることを特徴とする。
【０００８】
また、本発明は、前記カード（５０）に入力された金額情報（５１）を非表示にしたことを特徴とする。
【０００９】
また、本発明は、前記贈答者が前記カード（５０）を贈答することに関する費用の入金があると、前記運営者サーバ（１０）は、前記贈答者の端末（１）から前記ユーザの端末（２）に前記カード（５０）を送信可能な状態にすることを特徴とする。
【００１０】
また、本発明は、前記カード（５０）にはメッセージ情報（５２）を添えることができることを特徴とする。
【００１１】
なお、上記括弧内の記号は、図面および後述する発明を実施するための形態に掲載された対応要素または対応事項を示す。
【発明の効果】
【００１２】
本発明のマネーギフトシステムによれば、贈答者からメールサービスを利用して贈られたカードに記載された金額情報からその金額が贈り先であるユーザの口座に銀行から振り込まれるので、商品としてではなく、香典や祝儀などの現金を相手先に手軽に贈ることができる。
【００１３】
また、本発明によれば、金融機関サーバにかえて決算代行業者サーバを使用して、贈答者からメールサービスを利用して贈られたカードに記載された金額情報からその金額が贈り先であるユーザの口座に決算代行業者から振り込まれるので統括した管理が行え利便性に富む。
【００１４】
また、本発明によれば、運営者サーバは、カードを贈答することに関する費用の入金が贈答者からあってはじめて贈答者の端末からユーザの端末にカードを送信可能にすることで、カードがユーザに届いたにもかかわらず贈答者からの入金がないためにカードに記入された金額が振り込まれなくなるといったトラブルを防止することができる。
【００１５】
なお、本発明のマネーギフトシステムのように、贈答者からメールサービスを利用して贈られたカードに記載された金額が贈り先であるユーザの口座に振り込まれる点は、上述した特許文献１，２，３には全く記載されていない。
【図面の簡単な説明】
【００１６】
【図１】本発明の第一実施形態に係るマネーギフトシステムの通信構成を示すブロック図である。
【図２】本発明の第一実施形態に係るマネーギフトシステムにおけるサーバの電気的構成概要を示すブロック図である。
【図３】運営者サーバが提供する金額を入力可能なカードを示す平面図である。
【図４】本発明の第一実施形態に係るマネーギフトシステムにおける運営者サーバの制御部の処理内容を示すフローチャートである。
【図５】本発明の第一実施形態に係るマネーギフトシステムにおける金融機関サーバの制御部の処理内容を示すフローチャートである。
【図６】本発明の第二実施形態に係るマネーギフトシステムの通信構成を示すブロック図である。
【図７】本発明の第二実施形態に係るマネーギフトシステムにおけるサーバの電気的構成概要を示すブロック図である。
【図８】本発明の第二実施形態に係るマネーギフトシステムにおける運営者サーバの制御部の処理内容を示すフローチャートである。
【図９】本発明の第二実施形態に係るマネーギフトシステムにおける決算代行業者サーバの制御部の処理内容を示すフローチャートである。
【発明を実施するための形態】
【００１７】
（第一実施形態）
図１乃至図５を参照して、本発明の第一実施形態に係るマネーギフトシステムについて説明する。
このマネーギフトシステムは、図１に示すように贈答者の端末１と、ユーザの端末２と、運営者サーバ１０と、金融機関サーバ２０がネットワーク１００を介して接続されている。
【００１８】
運営者サーバ１０は、図３に示すような、金額を入力可能なカード（マネーギフトカード）５０に関する情報を提供する。カード５０のデザインは多種であり、カード５０には金額情報５１とメッセージ情報５２を入力することができる。なお、金額としては任意の金額を入力できるようにするだけでなく、入力できる金額に上限及び下限を設けたり、特定の金額、例えば、３，０００円、５，０００円、１０，０００円、３０，０００円などから選択するようにしてもよい。
【００１９】
贈答者の端末１及びユーザの端末２２は、家庭や企業に広く普及している一般的なパソコンやスマートフォンである。ウェブブラウザを使用して運営者サーバ１０が提供するマネーギフトカード５０に関するサイトにアクセス可能な性能を有していれば、それらの端末はどのような性能のものであってもよい。なお、贈答者も一般的なユーザ（会社であってもよい）であるが、ここではマネーギフトカード５０を贈る者を贈答者とし、その贈答者からマネーギフトカード５０が贈られる者を単にユーザと呼んでいる。よって、運営者サーバ１０のサイトにアクセスできるものであれば基本的に誰でも贈答者になり、誰でもマネーギフトカード５０が贈られる贈受者になりうる。特に、香典や祝儀としてマネーギフトカード５０を利用することができる。
【００２０】
金融機関サーバ２０は銀行が有し、インターネット１００を介して指定されたユーザの口座番号に振込みを行う。
【００２１】
運営者サーバ１０は、図２に示すように制御部１１と、記憶部１２と、出力用のディスプレイ等からなる出力部１３と、入力用のキーボードやマウス等からなる入力部１４を備えている。
制御部１１は、記憶部１２に記憶された制御プログラムに従ってシステム全体を制御するものであり、ＣＰＵからなる。
記憶部１２は、ＲＯＭやＲＡＭといった記憶媒体からなる。ＲＯＭには、システム全体を制御する制御プログラム等が記憶される。ＲＡＭには商品情報、ユーザ情報、発注情報等が記憶される。
なお、記憶部１２として、ＨＤＤ等の他の記憶媒体が、主に又は補助的に用いられてもよい。
【００２２】
金融機関サーバ２０の構成も運営者サーバ１０と同様であり、制御部２１と、記憶部２２と、出力部２３と、入力部２４を備えている。
【００２３】
以上のように構成されたマネーギフトシステムにおける、運営者サーバ１０の制御部１１が行う処理内容について、図４に示すフローチャートを参照して説明する。
【００２４】
まず、運営者サーバ１０の電源を入れた後、システムの初期化を行う（ステップＳ１０１（以下、「ステップ」という語を省略する））。
【００２５】
次に、金額を入力可能なカード（マネーギフトカード（略して「マネカ」））５０に関する情報をサイトにて提供して（Ｓ１０２）、発注を待つ（Ｓ１０３）。
【００２６】
そして、発注があると、すなわち、運営者サーバ１０のサイトにアクセスしてマネーギフトカード５０を特定のユーザに対して贈るための申込みが、その贈答者の端末１からあると、その贈答者の氏名又は名称等からなる贈答者情報を贈答者の端末１から取得するとともに（Ｓ１０４）、贈答者がマネーギフトカード５０に記入した金額（贈答金額）の情報を取得する（Ｓ１０５）。
【００２７】
マネーギフトカード５０の申込みは、運営者サーバ１０のサイトにアクセスして、香典用，祝儀用としてデザインの異なる複数のマネーギフトカード５０から一枚を選択し、そのカード５０の金額情報５１書き込みの欄に贈りたい金額を記入する（なお、マネーギフトカード５０の種類は一つであってもよい）。また、マネーギフトカード５０のメッセージ情報書き込みの欄に所望のメッセージを載せることもできるようにしている。
そして、贈答者は、マネーギフトカード５０を贈答することに関する費用、つまり、マネーギフトカード５０に記入した金額（贈答金額）に手数料（手数料が無料の場合も含む）を加えた費用を贈答者の端末１から運営者サーバ１０に送信する。
【００２８】
次に、運営者サーバ１０は、贈答者からその発注費用の入金を確認し（Ｓ１０６）、入金があると、マネーギフトカード５０を贈答者が他の者に送信することに対して許可する（Ｓ１０７）。
これによって、贈答者は運営者サーバ１０からマネーギフトカード５０をダウンロードすることができ、贈答者の端末１からメールサービスを利用して、贈りたいユーザの端末２に香典あるいは祝儀といったかたちで送信することができる。
【００２９】
贈答者からマネーギフトカード５０をもらったユーザは、運営者サーバ１０のサイトにアクセスして、カード５０に記載された金額を受領するか否かを決定し、受領する場合には、ユーザの氏名又は名称等からなるユーザ情報とそのユーザの口座番号情報を所定の箇所に記入する。
【００３０】
運営者サーバ１０は、マネーギフトカード５０をもらったユーザの端末２から応答を待ち、応答があると（Ｓ１０８）、カード５０に記載された金額を受領するか否かをチェックする（Ｓ１０９）。
ユーザの端末２から応答が一定期間（例えば一カ月）ないか、あるいは金額を受領する意思がないこと旨の応答があると、運営者サーバ１０は、取消通知の処理を行う（Ｓ１１１。取消通知の処理では、運営者サーバ１０は、贈答者の端末１に対して、理由（贈り先ユーザからの応答がないか、受領することが拒否されたかなど）とともにマネーギフトカード５０を利用して金額を振込む手続きを中止する旨を通知する。
【００３１】
ユーザの端末２から金額を受領する旨の通知があると（Ｓ１０９）、運営者サーバ１０は、贈答を受ける贈受者たるユーザの端末２から記入された、ユーザの氏名又は名称等からなるユーザ情報とそのユーザの口座番号情報を取得する（Ｓ１１２，Ｓ１１３）。
【００３２】
このようにして振込のための準備が整うと運営者サーバ１０は、金融機関サーバ２０に対して、ユーザ情報とそのユーザの口座番号情報とマネーギフトカード５０に入力された金額情報５１が書き込まれた振込情報を送信する（Ｓ１１４）。
【００３３】
次に、金融機関サーバ２０の制御部２１が行う処理内容について、図５に示すフローチャートを参照して説明する。
【００３４】
金融機関サーバ２０も電源を入れた後、システムの初期化を行う（Ｓ２０１）。
次に、運営者サーバ１０からの受信があるか否かを判定し（Ｓ２０２）、受信があると振込情報（ユーザ情報、ユーザの口座番号情報、マネーギフトカード５０に入力された金額情報５１）を取得する（Ｓ２０３）。
【００３５】
そして、金融機関サーバ２０は、取得した振込情報に基づいて、運営者サーバ１０の有する口座から、指定されたユーザの口座番号にマネーギフトカード５０に入力された金額を振込み（Ｓ２０４）、一連の処理が完了する。なお、このとき金融機関サーバ２０は手数料を運営者サーバ１０の有する口座から引き落とすこともできる。
【００３６】
以上のように構成及び制御されたマネーギフトシステムによれば、メールサービスを利用して贈られたマネーギフトカード５０に記載された金額情報からその金額が贈り先であるユーザの口座に振り込まれるので、商品としてではなく、香典や祝儀などの現金を相手先に手軽に贈ることができる。
【００３７】
なお、金融機関サーバ２０は、振込金額（これに手数料が含まれる場合もある）を運営者サーバ１０が有する口座から引き落とすようにしたが、予め口座を設けるのではなく、運営者サーバ１０がその都度、マネーギフトカード５０に入力された金額（これに手数料が含まれる場合もある）を、金融機関サーバ２０に対して、振込情報送信（Ｓ１１４）の後に入金するようにしてもよい。
【００３８】
また、運営者サーバ１０は、マネーギフトカード５０を贈答することに関する費用の入金が贈答者からあってはじめて贈答者の端末１からユーザの端末２にマネーギフトカード５０を送信可能にすることで、マネーギフトカード５０がユーザに届いたにもかかわらず贈答者からの入金がないためにマネーギフトカード５０に記入された金額が振り込まれなくなるといったトラブルを防止するようにしたが、贈答者からの入金前に、贈答者の端末１からユーザの端末２にマネーギフトカード５０を送信可能にすることもできる。
【００３９】
また、マネーギフトカード５０に入力された金額情報５１については贈り先のユーザが把握できるようにしていたが、この金額情報５１を非表示にすることもできる。
【００４０】
（第二実施形態）
次に図６乃至図９を参照して、本発明の第二実施形態に係るマネーギフトシステムを説明する。なお、第一実施形態と同一部分には同一符号を付した。
本実施形態の第一実施形態との違いは、金融機関サーバ２０にかえて決算代行業者サーバ３０を設けて処理したところであり、贈答者からの入金は運営者サーバ１０側ではなく、決算代行業者サーバ３０に対して直接行われる点である。
このマネーギフトシステムは、図６に示すように贈答者の端末１と、ユーザの端末２と、運営者サーバ１０と、決算代行業者サーバ３０がネットワーク１００を介して接続されている。
【００４１】
決算代行業者サーバ３０の構成は、金融機関サーバ２０と同様であり、図７に示すように制御部３１と、記憶部３２と、出力部３３と、入力部３４を備えている。
【００４２】
運営者サーバ１０の制御部１１が行う処理内容については、図８に示すフローチャートのように、第一実施形態における運営者サーバ１０の制御部１１が行う処理内容（図４）と比較して、贈答者からその発注費用の入金を確認し（Ｓ１０６）、入金があると、マネーギフトカード５０を贈答者が他の者に送信することに対して許可する（Ｓ１０７）といった処理は実行しない。
これは、贈答者からの発注費用の入金は、運営者サーバ１０ではなく決算代行業者サーバ３０にされるためようにしたためである。なお、贈答者からの発注が終了するとマネーギフトカード５０を贈答者が他の者に送信することができるようにしている。
【００４３】
そして、決算代行業者サーバ３０の制御部３１は、まず電源を入れた後、システムの初期化を行う（Ｓ３０１）。
次に、運営者サーバ１０からの受信があるか否かを判定し（Ｓ３０２）、受信があると振込情報（ユーザ情報、ユーザの口座番号情報、マネーギフトカード５０に入力された金額情報５１）を取得する（Ｓ３０３）。
【００４４】
そして、決算代行業者サーバ３０は、贈答者の端末１からマネーギフトカード５０を贈答することに関する費用の入金（これに手数料が含まれる場合もある）が贈答者からあったことを確認し（Ｓ３０４）、その入金が贈答者からあると、指定されたユーザの口座番号にマネーギフトカード５０に入力された金額を振込み（Ｓ３０５）、一連の処理が完了する。なお、決算代行業者サーバ３０は指定されたユーザの口座に振り込まれる金額を除く手数料などをまとめたものを後日、別のルートで運営者サーバ１０に送金するようになっている。
【００４５】
これによれば、金融機関サーバ２０にかえて決算代行業者サーバ３０を使用するので統括した管理を行うことができ利便性に富む。
【００４６】
なお、運営者サーバ１０は、マネーギフトカード５０を贈答することに関する費用の入金が贈答者から決算代行業者サーバ３０にあったことを決算代行業者サーバ３０から受けるようにして、これにより贈答者の端末１からユーザの端末２にマネーギフトカード５０を送信可能にするようにすることもできる。これによれば、マネーギフトカード５０がユーザに届いたにもかかわらず贈答者からの入金がないためにマネーギフトカード５０に記入された金額が振り込まれなくなるといったトラブルを防止することができる。
また、第一実施形態と同様に、マネーギフトカード５０に入力された金額情報５１については贈り先のユーザが把握できるようにしていたが、この金額情報５１を非表示にすることもできる。
【符号の説明】
【００４７】
１      贈答者の端末
２      ユーザの端末
１０      運営者サーバ
１１      制御部（贈答受付手段，贈答者情報取得手段，入金確認手段，贈答決定手段，ユーザ情報取得手段，振込依頼送信手段）
１２      記憶部
１３      出力部
１４      入力部
２０      金融機関サーバ
２１      制御部（振込依頼受信手段，振込手段）
２２      記憶部
２３      出力部
２４      入力部
３０      決算代行業者サーバ
３１      制御部（振込依頼受信手段，入金確認手段，振込手段）
３２      記憶部（発注情報保持手段）
３３      出力部
３４      入力部
５０      マネーギフトカード（カード）
５１      金額情報
５２      メッセージ情報
１００      インターネット（ネットワーク）
【図１】
2018045277.tif 000003
【図２】
2018045277.tif 000004
【図３】
2018045277.tif 000005
【図４】
2018045277.tif 000006
【図５】
2018045277.tif 000007
【図６】
2018045277.tif 000008
【図７】
2018045277.tif 000009
【図８】
2018045277.tif 000010
【図９】
2018045277.tif 000011